(57)【特許請求の範囲】
【請求項１】
吸音材の矩形状の背面において少なくとも四隅部を含む部位に第１面ファスナを設け、前記吸音材に設けた第１面ファスナ及び該吸音材とは別の吸音材に設けた第１面ファスナが共に係合する第２面ファスナを、壁部・天井部・床部のうち少なくとも何れか一つの取付対象部に設け、前記吸音材が、繊維を塊状にすることで前記第１面ファスナが備えられる背面を形成し、この背面に前記第２面ファスナと係合可能な状態で前記繊維を露出させている吸音材の取付構造。
【請求項２】
前記吸音材を前記取付対象部に固定する固定金具を設けると共に、
当該固定金具が、前記吸音材を表裏方向に貫通する状態で前記取付対象部に固定された支持部と、当該貫通した支持部の先端に設けられ、前記吸音材が前記取付対象部から離間するのを阻止する規制部と、を備えている請求項１に記載の吸音材の取付構造。
【請求項３】
複数の前記吸音材を夫々一列に並べて連結した第１アレイと第２アレイとをアレイ幅方向に隣接配置し、
前記第２面ファスナを、前記第１アレイと前記第２アレイの境界部を挟んで双方のアレイに亘る幅を有し、アレイ長手方向に沿う長尺状に構成してある請求項１又は２に記載の吸音材の取付構造。
【請求項４】
前記取付対象部に対して前記第２面ファスナを固定する押さえ部材を設けてある請求項１〜３のいずれか１項に記載の吸音材の取付構造。
【発明の詳細な説明】
【技術分野】
【０００１】
本発明は、吸音材の取付構造に関し、詳しくは、建造物等の壁部や天井部等に吸音材を取り付ける技術の改良に関する。
【背景技術】
【０００２】
上記のように構成された取付構造として特許文献１には、壁面や天井面等の設置場所に基材を取り付け、この基材に枠材を取付、枠材に吸音効果のある充填材を充填し、この表面に表面材を取り付ける吸音パネルが示されている。
【０００３】
この特許文献１では、吸音パネルの取り外しや移動を可能にするため、基材の裏面に取付け部材を設置し、壁面や天井壁にマジックテープ（登録商標）や両面テープ等で構成される受け部材を設置場所に備え、この受け部材に対して取付け部材を着脱自在に取り付ける構成が示されている。
【０００４】
また、関連する技術として、特許文献２には、基部から複数のテーパ部を突出形成して吸音喫が構成され、この吸音喫は固定金具により壁面に取り付ける構成が示されている。固定金具は、吸音喫の基部の底面を支持する支持部と、支持部の幅方向の中央位置に設けられた固定片とで構成されている。
【０００５】
この特許文献２で吸音喫を壁面に取り付ける場合には、固定片のビス孔にビスを挿入してビスを壁面に打ち込み、固定金具の支持部に吸音喫を支持することになる。
【先行技術文献】
【特許文献】
【０００６】
【特許文献１】実用新案登録第３１６７３６２号公報
【特許文献２】特開２００６-１４５６５７号公報
【発明の概要】
【発明が解決しようとする課題】
【０００７】
例えば、壁面に多数の吸音喫を取り付ける作業を考えると、吸音喫の取り付け位置を調節したい場合もある。このような要請に対して、特許文献２に記載されるように固定片のビス孔にビスを挿入する作業形態では、取り付けに手間が掛かり、取り付け位置の変更も行い難いため改善の余地がある。
【０００８】
これに対して、特許文献１に記載されるようにマジックテープ（登録商標）や両面テープ等を用いるものでは取り付け作業が簡便であり、取り付け位置の調節も容易に行える。
しかしながら、特許文献１の構成では、壁面において吸音材の取り付け箇所毎に、マジックテープ（登録商標）や両面テープ等を取り付ける必要があり、この取り付けの作業に手間が掛かる観点において改善の余地がある。
【０００９】
本発明の目的は、取り付け対象に対して吸音材を容易に取り付け得る取付構造を合理的に構成する点にある。
【課題を解決するための手段】
【００１０】
本発明の第１の特徴構成は、吸音材の矩形状の背面において少なくとも四隅部を含む部位に第１面ファスナを設け、前記吸音材に設けた第１面ファスナ及び該吸音材とは別の吸音材に設けた第１面ファスナが共に係合する第２面ファスナを、壁部・天井部・床部のうち少なくとも何れか一つの取付対象部に設け、前記吸音材が、繊維を塊状にすることで前記第１面ファスナが備えられる背面を形成し、この背面に前記第２面ファスナと係合可能な状態で前記繊維を露出させた点にある。
【００１１】
この構成によると、第１面ファスナを吸音部材の背面の四隅部を含む部位に備え、第２面ファスナを壁面等の取付対象部に備えることにより、吸音材を取付対象に対して係合する形態で取り付けることが可能となり、係合を容易に解除できるため位置調節も簡単に行える。また、取付対象に設ける第２面ファスナに対して所定の吸音材の第１面ファスナが係合すると共に、この第２面ファスナに対して異なる吸音材の第１面ファスナが係合するため、例えば、吸音材毎に第２面ファスナを備える作業形態と比較すると、取付対象に取付られる第２面ファスナの数を低減して作業の手間を低減する。
従って、取り付け対象に対して吸音材を容易に取り付け得る取付構造が得られた。
【００１２】
繊維を塊状にして吸音材が形成されているので良好な吸音効果を奏すると共に、吸音材の背面に繊維が露出するので、背面に備えた第１面ファスナを第２面ファスナに係合させた場合に、吸音材の背面に露出する繊維を第２面ファスナに係合させることも可能となり、一層確実な係合が実現する。
【００１３】
【００１４】
本発明の第２の特徴構成は、前記吸音材を前記取付対象部に固定する固定金具を設けると共に、当該固定金具が、前記吸音材を表裏方向に貫通する状態で前記取付対象部に固定された支持部と、当該貫通した支持部の先端に設けられ、前記吸音材が前記取付対象部から離間するのを阻止する規制部と、を備えても良い。
【００１５】
これによると、第１面ファスナと第２面ファスナとを係合させることにより吸音材を取付対象部に保持した状態において、固定金具を吸音材に貫通させ、この固定金具の支持部を取付対象部に固定すると共に、規制部を吸音材に接触させることで、取付対象部に固定することが可能となる。つまり、第１面ファスナと第２面ファスナとの係合を利用することで取付対象部の適正な位置に吸音材を配置する形態で取り付け、この取付状態において固定金具により確実な固定を実現する。
【００１６】
本発明の第３の特徴構成は、複数の前記吸音材を夫々一列に並べて連結した第１アレイと第２アレイとをアレイ幅方向に隣接配置し、前記第２面ファスナを、前記第１アレイと前記第２アレイの境界部を挟んで双方のアレイに亘る幅を有し、アレイ長手方向に沿う長尺状に構成したところにある。
これによると、複数の吸音材を並べて連結することで第１アレイが構成され、これと同様に複数の吸音材を並べて連結することで第２アレイが構成されるので、単一の吸音材を取り扱う場合と比較して作業の手間が軽減する。また、長尺状の第２面ファスナを取付対象に取り付け、この第２面ファスナに対して第１アレイと第２アレイとの境界部の第１面ファスナを係合させることになるため、作業の手間を一層軽減できる。
【００１７】
本発明の第４の特徴構成は、前記取付対象部に対して前記第２面ファスナを固定する押さえ部材を設けたところにある。
これによると、第２面ファスナが押さえ部材により取付対象部に固定されるため、この第２面ファスナに対して吸音材の第１面ファスナが係合し、吸音材の重量が作用する状況でも、第２面ファスナと取付対象部との位置関係が変化することはなく吸音材を適正な位置に保持できる。
【００１８】
【００１９】
【図面の簡単な説明】
【００２０】
【図１】突出部側から見た吸音材の斜視図である。
【図２】背面側から見た吸音材の斜視図である。
【図３】壁部に吸音材を取り付ける構造を示す斜視図である。
【図４】壁部に取り付けた吸音材を示す正面図である。
【図５】壁部に取り付けた吸音材を示す断面図である。
【発明を実施するための形態】
【００２１】
以下、本発明の実施形態を図面に基づいて説明する。
図１〜図５に示すように、吸音材Ａの背面１に第１面ファスナＦ１を備え、取付対象部としての屋内の壁部１０の表面に第２面ファスナＦ２を備え、第１面ファスナＦ１に第２面ファスナＦ２を係合することにより壁部１０に吸音材Ａを取り付け、この取付状態で固定金具２０を吸音材Ａに貫通させ壁部１０に固定する取付構造が構成されている。
【００２２】
この取付構造は、学校の音楽室や、音声の収録等を行う無響施設において壁部１０や天井部の吸音を実現するため吸音材Ａを壁部や天井壁に形成するものである。この取付構造は壁部１０や天井壁を取付対象にするものではなく床部を取付対象にしても良い。
【００２３】
吸音材Ａは、樹脂繊維やガラス繊維等を、繊維同士の間に吸音空間を形成する状態でバインダー等を用いて繊維同士を結合させ塊状に成形されている。このように成形される塊状物は、例えば、正方形となる背面１と、この背面１から立ち上がるブロック状の基部２と、この基部２から連なる状態で先細り状に突出する一対の突出部３とを有する吸音楔形状となる。また、一対の突出部３の中間部分には谷状部４が形成され、突出部３から連なる傾斜姿勢のテーパ面５が形成されている
【００２４】
この吸音材Ａは、内部の吸音空間において音波を吸収する機能を有するものであり、表面には繊維が起毛状態で露出する。また、吸音材Ａは、音波の透過が可能な布材や紙材等で塊状物の繊維の表面を被覆するものであっても良い。このように被覆する構成においても、背面１には塊状物の繊維が第２面ファスナＦ２と起毛状態（係合可能な状態）で露出するように構成される。
【００２５】
このように吸音材Ａの背面１に繊維が起毛状態で露出するので、吸音材Ａを壁部１０に取り付けるために背面１の第１面ファスナＦ１を壁部１０の第２面ファスナＦ２に係合させた場合に、背面１に露出する繊維と第２面ファスナＦ２とを係合させることも可能となる。これにより、例えば、第１面ファスナＦ１と第２面ファスナＦ２とが適正な位置関係にない場合のように、係合力が不足する状況でも、吸音材Ａを構成する繊維と第２面ファスナＦ２との係合により強い係合を実現する。また、吸音材Ａを取り付ける場合には第１面ファスナＦ１と第２面ファスナＦ２とを係合させるため、例えば、取付位置の調整を行う場合でも、係合を解除することにより適正な位置に変更する作業が容易に行える。
【００２６】
本発明では、第１面ファスナＦ１と第２面ファスナＦ２とはマジックテープ（登録商標）やベルクロ（登録商標）と称されるものが使用される。また、第１面ファスナＦ１として繊維が起毛する多数のループ状部を形成したものが使用され、第２面ファスナＦ２としてループ状部に係合する多数のフック状部を形成したものが使用されている。
【００２７】
この取付構造では、第２面ファスナＦ２としてテープ状（長尺状）のものを用い、これを縦方向に沿う姿勢で壁部１０の表面に密着させ、押さえ部材としての支持体１１により壁部１０に固定される。例えば、支持体１１は、図３に示すように、金属材を用いて支持本体部１１Ａに対して一対の脚部１１Ｂを備え得ることでコ字状に成形され、支持本体部１１Ａの長手方向を隣接する吸音材Ａの境界部のラインに沿うように縦方向に設定し、脚部１１Ｂを第２面ファスナＦ２を貫通させ壁部１０に打ち込む形態で固定される。
【００２８】
第１面ファスナＦ１にもテープ状のものが用いられている。図３、図４に示すように、第１面ファスナＦ１の幅をＷ１とした場合に、第２面ファスナＦ２の幅がＷ２をＷ１の値の例えば２倍に設定されている。この第１面ファスナＦ１は、アレイを構成する２つの吸音材Ａの背面１に接着する形態で取付られている。
【００２９】
この取付構造では、吸音材Ａの浮き上がりを抑制して、確実な係合を行うためには吸音材Ａの背面１の四隅を含む領域に第１面ファスナＦ１を備えることが合理的である。従って、第１面ファスナＦ１としてテープ状のものを用いずに、幅Ｗ１の値を一辺とする正方形のものを吸音材Ａの背面１の四隅に備えても良い。更に、吸音材Ａの確実な連結を可能にするために、吸音材Ａの背面１の全面に第１面ファスナＦ１を備えても良い。
【００３０】
支持体１１は、コ字状のもの以外に、釘や、ビスを用いても良い。また、本発明の取付構造では、支持体１１を用いずに第２面ファスナＦ２を接着により壁部１０に固定しても良い。支持体１１の材質は金属製に限らず、樹脂製や木製であっても良い。
【００３１】
図３、図５に示すように、２つの吸音材Ａを一列に並べ接着等により連結することにより２つの吸音材を１つのアレイとして構成している。アレイは、一方の吸音材Ａの突出部３の姿勢と、他方の吸音材Ａの突出部３との姿勢が互いに直交する姿勢に設定される。前述したように第２面ファスナＦ２の幅Ｗ２を、第１面ファスナＦ１の幅Ｗ１の２倍に設定しているため、例えば、アレイの１つを第１アレイと称し、他の１つのアレイを第２アレイと称すると、第１アレイと第２アレイとを幅方向に隣接配置して壁部１０に取り付ける場合には、１つの第２面ファスナＦ２が、第１アレイの第１面ファスナＦ１と第２アレイの第１面ファスナＦ１とに係合する。
【００３２】
つまり、第２面ファスナＦ２が、第１アレイと第２アレイとの境界部を挟んで双方のアレイに亘る領域に形成され、しかも、この第２面ファスナＦ２の幅Ｗ２が第１アレイと第２アレイとに備えた第１面ファスナＦ１の幅Ｗ１の２倍であるので、第２面ファスナＦ２の係合面の半分の領域に第１アレイの第１面ファスナＦ１が係合し、第２面ファスナＦ２の係合面の残りの半分の領域に第２アレイの第１面ファスナＦ１が係合する。
【００３３】
尚、アレイを構成する場合に、３つ以上の吸音材Ａを連結して良く、４つ以上の吸音材Ａを面状に配置してアレイを構成しても良い。複数の吸音材Ａを連結するために複数の吸音材Ａの基部２の外周に粘着テープを巻き付けることや、隣接する吸音材Ａにロッド等を貫通させる形態で連結しても良い。
【００３４】
固定金具２０は、図３ないし図５に示すように先端側を尖鋭に加工したロッド状の支持部２１と、基端側に抜け止め用の規制部２２とを備えた釘状に形成されている。このような構造から吸音材Ａを壁部１０に固定する場合には、支持部２１を吸音材Ａに表裏方向に貫通させる状態で、支持部２１の先端を壁部１０に打ち込み、規制部２２を吸音材Ａの外面に接触させることにより壁部１０からの吸音材Ａの離間が阻止される。
【００３５】
この固定金具２０の支持部２１が吸音材Ａを貫通する位置として、図４、図５に示すように、吸音材Ａの外周側の２つのテーパ面５の各々の２箇所と、谷状部４の中央部に１箇所との合計５箇所を想定しているが、これに限るものではない。尚、固定金具２０の規制部２２は、支持部２１に対して着脱自在に構成されるものでも良く、例えば、支持部２１を吸音材Ａに貫通させ、壁部１０に打ち込んだ後に、規制部２２を取り付けるようにしても良い。この固定金具２０は、吸音材Ａを貫通して壁部１０に打ち込まれる形態で使用されるものであるが、壁部１０に螺合する形態で壁部１０に固定されるタッピングネジで構成しても良い。また、支持部２１の先端をボルト形状とし、予め壁部１０に設けた固定ナットに係合して固定するようにしても良い。
【００３６】
〔作業形態〕
このような構成から、吸音材Ａを壁部１０に取り付ける場合には、２つの吸音材Ａを組み合わせてアレイを形成しておき、このアレイを形成する２つの吸音材Ａの背面１の両端縁に２本の第１面ファスナＦ１を接着等で固定しておく。また、壁部１０に対して複数の第２面ファスナＦ２を縦長で吸音材Ａの幅に等しい間隔となる平行姿勢で支持体１１により固定する。
【００３７】
次に、第１面ファスナＦ１を第２面ファスナＦ２に係合させる形態でアレイを壁部１０に取り付ける。このように取り付ける場合には、第１面ファスナＦ１と第２面ファスナＦ２との係合と分離とを容易に行えるので取付位置の調節も簡単に行える。特に、吸音材Ａを構成する繊維が吸音材Ａの背面１に起毛状態で露出するため、この起毛状体の繊維の一部を第２面ファスナＦ２に係合させて係合力の不足を解消できる。つまり、壁部１０にアレイを取り付ける際に、隣接するアレイ同士の境界部が、第２面ファスナＦ２の幅方向の中央から外れ、アレイの第１面ファスナＦ１が第２面ファスナＦ２に係合する面積が不足することもある。このように吸音材Ａが適正な位置から外れた場合でも、この吸音材Ａの背面１に露出する繊維を第２面ファスナＦ２に係合させることも可能となる。
【００３８】
また、係合によりアレイ（吸音材Ａ）を取り付ける場合には、１つの第２面ファスナＦ２に対して幅方向での半分の領域に１つのアレイの第１面ファスナＦ１が係合し、残りの半分の領域に他の１つのアレイの第１面ファスナＦ１が係合するため、複数の第２面ファスナＦ２を壁部１０に取り付ける作業を行わずに済むものにしている。
【００３９】
更に、第１面ファスナＦ１と第２面ファスナＦ２との係合によりアレイを壁部１０の適正な位置に取り付けた後には、固定金具２０を吸音材Ａに貫通させ、壁部１０に打ち込む状態で固定する取付形態となるので、固定されたアレイ（吸音材Ａ）の脱落を抑制して確実な固定を実現する。
【００４０】
〔別実施形態〕
本発明は、上記した実施形態以外に以下のように構成しても良い。
【００４１】
（ａ）吸音材Ａとして、表面に多数の開口を形成したものや、表面に波状となる凹凸を形成した板状に構成されたものを用いる。このように構成したものであっても、第１面ファスナＦ１と第２面ファスナＦ２とを用いることで良好な作業性を実現する。
【００４２】
（ｂ）テープ状に構成された第２面ファスナＦ２を、壁部に対して横長となる姿勢で取り付ける。
【００４３】
（ｃ）複数の吸音材Ａを一体化してアレイを構成していたが、単体の吸音材Ａを壁部１０に取り付ける。
【産業上の利用可能性】
【００４４】
本発明は、壁部に対して複数の吸音材を固定するために利用することができる。
【符号の説明】
【００４５】
１          背面
１０        取付対象部・壁部
１１        押さえ部材（支持体）
２０        固定金具
２１        支持部
２２        規制部
Ａ          吸音材
Ｆ１        第１面ファスナ
Ｆ２        第２面ファスナ
【図１】
0005890188.tif 000002
【図２】
0005890188.tif 000003
【図３】
0005890188.tif 000004
【図４】
0005890188.tif 000005
【図５】
0005890188.tif 000006